(57)【特許請求の範囲】
【請求項１】
吸引駆動部と、この吸引駆動部によって駆動される吸引力発生機と、この吸引力発生機によって内圧が低下される貯留タンクとを備える吸引装置に設けられる操作装置において、
前記吸引駆動部のスタータスイッチと、
前記吸引駆動部の冷却水温度の異常を表す水温警報ランプと、
前記吸引駆動部の潤滑油の異常を表すオイルランプと、
前記吸引駆動部の予熱状態を示すグローランプと、
前記吸引駆動部の回転計と、
前記吸引力発生機に対する動力の伝達を操作するクラッチスイッチと、
前記吸引駆動部のアクセルスイッチと、
前記貯留タンク内圧力を表示する連成計とを有し、
前記スタータスイッチ、前記水温警報ランプ、前記オイルランプ、前記グローランプ、前記回転計、前記クラッチスイッチ、前記アクセルスイッチ、及び前記連成計は、前記操作装置に１箇所まとめて配置されていることを特徴とする吸引装置の操作装置。
【請求項２】
前記吸引力発生機から排気される気体の排気温度を表示する排気温度計と、前記排気温度が所定の温度以上になったときに作動する排気温度警報ブザー又は排気温度警報ランプとを備えることを特徴とする請求項１記載の吸引装置の操作装置。
【請求項３】
前記貯留タンクを傾斜及び伏倒させるための傾倒操作部、及び前記貯留タンクのテールゲートを開閉するための開閉操作部を備えることを特徴とする請求項１又は２記載の吸引装置の操作装置。
【発明の詳細な説明】
【技術分野】
【０００１】
本発明は、例えば土砂や汚泥等の回収対象物を吸引して回収することができる吸引装置の操作装置に関する。
【背景技術】
【０００２】
従来の上記吸引装置の操作装置の一例として図３に示すものがある。この操作装置１は、吸引エンジン用操作表示部２と、タンク用操作表示部３とから成っている。吸引エンジン用操作表示部２は、吸引エンジン４を操作するためのものであり、吸引エンジン４を覆う吸引エンジンカバー５の側面に設けられている。そして、タンク用操作表示部３は、貯留タンク６に関する操作をするためのものであり、貯留タンク６の前部に設けられている。
【０００３】
この吸引エンジン用操作表示部２、及びタンク用操作表示部３が設けられている吸引装置７は、図３に示すように、車両８に搭載されており、走行エンジン（図示せず）とは別に上記吸引エンジン４が設けられている。更に、この吸引エンジン４によって駆動される吸引力発生機と、この吸引力発生機によって内圧が低下される貯留タンク６とを備えている。
【０００４】
吸引エンジン用操作表示部２には、図３に示すように、吸引エンジン４のスタータスイッチ２ａ、吸引エンジン４の冷却水温度の異常を表す水温警報ランプ２ｂ、及び吸引エンジン４の潤滑油の異常を表すオイルランプ２ｃが設けられている。タンク用操作表示部３には、アクセルスイッチ３ａ、吸引エンジン４の回転数を表示するための吸引エンジン回転計３ｂ、及び貯留タンク６内の圧力を表示するための連成計３ｃが設けられている。
【０００５】
次に、図３に示す吸引装置７を使用して、下水管内の土砂等を吸引する手順を説明する。例えばまず、吸引エンジン用操作表示部２に設けられているスタータスイッチ２ａを操作して吸引エンジン４を始動させる。そして、吸引ホース（図示せず）を貯留タンク６に設けられている吸込み口６ａに接続すると共に、バルブ操作部（図示せず）を操作してこの吸引装置７に設けられているそれぞれのバルブを吸引位置にする。
【０００６】
次に、タンク用操作表示部３に設けられている吸引エンジン回転計３ｂの表示を見ながらアクセルスイッチ３ａを操作して、吸引エンジン４の回転数を所定の回転数（例えば１，９００ｒｐｍ以下）に設定する。この吸引エンジン４によって吸引力発生機が駆動され、この吸引力発生機によって貯留タンク６内の空気を吸引して回収対象物を貯留タンク６内に吸引することができる。しかる後に、吸引ホースを下水管内に挿入して土砂等を吸引することができ、この吸引された土砂等を貯留タンク６内に貯留することができる。
【発明の開示】
【発明が解決しようとする課題】
【０００７】
しかし、図３に示す従来の吸引装置の操作装置１では、例えば吸引作業をするときに、吸引エンジン用操作表示部２、及びタンク用操作表示部３の両方を操作するが、これら２つの操作表示部２、３は、図３に示すように、間隔を隔てて別々に設けられているため、作業者は、この２つの吸引エンジン用操作表示部２と、タンク用操作表示部３との間を移動する必要があり手間が掛かる。
【０００８】
また、作業者は、タンク用操作表示部３の位置で、吸引エンジン４の回転数を所定の回転数に設定するときに、水温警報ランプ２ｂやオイルランプ２ｃを見て、吸引エンジン４の冷却水温度が適正であることや、吸引エンジン４の潤滑油が適正であることを確認しようとする場合、その確認をするためには吸引エンジン用操作表示部２の所に移動する必要があり不便である。
【０００９】
本発明は、上記のような課題を解決するためになされたものであり、例えば貯留タンク内に土砂等を吸引する吸引作業や、貯留タンク内に貯留されている土砂等を排出する排出作業をするために、吸引エンジンの回転数を所定の回転数に設定するときに、水温警報ランプやオイルランプを見るために、作業者が移動する必要がなく、１つの作業位置で簡単に操作できるようにする吸引装置の操作装置を提供することを目的としている。
【課題を解決するための手段】
【００１０】
本発明に係る吸引装置の操作装置は、吸引駆動部と、この吸引駆動部によって駆動される吸引力発生機と、この吸引力発生機によって内圧が低下される貯留タンクとを備える吸引装置に設けられる操作装置において、前記吸引駆動部のスタータスイッチと、前記吸引駆動部の冷却水温度の異常を表す水温警報ランプと、前記吸引駆動部の潤滑油の異常を表すオイルランプと、前記吸引駆動部の予熱状態を示すグローランプと、前記吸引駆動部の回転計と、前記吸引力発生機に対する動力の伝達を操作するクラッチスイッチと、前記吸引駆動部のアクセルスイッチと、前記貯留タンク内圧力を表示する連成計とを有し、前記スタータスイッチ、前記水温警報ランプ、前記オイルランプ、前記グローランプ、前記回転計、前記クラッチスイッチ、前記アクセルスイッチ、及び前記連成計は、前記操作装置に１箇所まとめて配置されていることを特徴とするものである。
【００１１】
この発明に係る吸引装置の操作装置によれば、駆動用操作表示部と、タンク用操作表示部とを、１箇所にまとめて配置してあるので、例えば貯留タンク内に土砂等を吸引する吸引作業や、貯留タンク内に貯留されている土砂等を排出する排出作業をするときに、作業者が駆動用操作表示部、及びタンク用操作表示部を操作するために移動する必要がなく、１つの作業位置で簡単に操作することができる。
【００１３】
そして、例えばアクセルスイッチを操作して、これから行う吸引作業（貯留タンク内に土砂等を吸引する作業）又は排出作業（貯留タンク内の土砂等を排出する作業）に対して定められた吸引駆動部の回転数を所定の回転数に設定するときに、その場で、水温警報ランプやオイルランプを目で見て、吸引駆動部の冷却水温度や、吸引駆動部の潤滑油が適正であることを確認できる。そして、クラッチスイッチを目で見て、吸引力発生機と吸引駆動部とが接続していることを確認できるし、グローランプを見て吸引駆動部の予熱状態を確認できる。また、回転計や連成計を目で見て、吸引駆動部の回転数や、貯留タンク内圧力が各作業に応じた範囲となっていることを確認できる。
【００１４】
また、この発明に係る吸引装置の操作装置において、前記吸引力発生機から排気される気体の排気温度を表示する排気温度計と、前記排気温度が所定の温度以上になったときに作動する排気温度警報ブザー又は排気温度警報ランプとを備える構成とすることが好ましい。このように、排気温度計を設けると、吸引作業又は排出作業をするために、駆動用操作表示部を操作して吸引駆動部を所定の回転数に設定したときに、吸引力発生機の排気温度計を目で見て、これから行う吸引作業又は排出作業に対してそれぞれ定められた排気温度であるか否かを確認することができる。また、排気温度警報ブザー又は排気温度警報ランプを設けると、吸引力発生機の排気温度の異常を音や、ランプの表示によって作業者に注意を促すことができる。
【００１５】
更に、この発明に係る吸引装置の操作装置において、前記貯留タンクを傾斜及び伏倒させるための傾倒操作部、及び前記貯留タンクのテールゲートを開閉するための開閉操作部を備える構成とすることが好ましい。例えば吸引作業や排出作業をするときに、駆動用操作表示部、及びタンク用操作表示部を操作するときに、作業者がその位置でこれら傾倒操作部、及び開閉操作部の操作位置を確認することができる。
【発明の効果】
【００１６】
この発明に係る吸引装置の操作装置によると、駆動用操作表示部、及びタンク用操作表示部を、１箇所にまとめて配置してあるので、作業者がこれら駆動用操作表示部、及びタンク用操作表示部を操作するために移動する必要がなく、１つの作業位置で簡単に操作することができ、作業性の向上を図ることができる。
【００１７】
つまり、作業者は、例えば吸引作業又は排出作業をする際に、アクセルスイッチを操作して、吸引駆動部の回転数を、それぞれの作業に対して定められた所定の回転数に設定するときに、水温警報ランプ、及びオイルランプ等の表示を、今の作業位置で確認することができるので便利であり、吸引装置の不具合を未然に防ぐことができる。
【発明を実施するための最良の形態】
【００１８】
以下、図１及び図２を参照して本発明に係る吸引装置の操作装置１４、この吸引装置の操作装置（以下、単に「操作装置」と言うこともある。）１４を備える吸引装置１５、及びこの吸引装置１５を備える吸引車１８の一実施形態を説明する。この吸引装置１５は、図２に示す貯留タンク６に設けられている吸込み口６ａに吸引ホース（図示せず）を接続して、この吸引ホースを例えば下水管内に挿入することによって、下水管内の土砂等を吸引することができるものである。この吸引された土砂等は、貯留タンク６内に貯留することができる。そして、操作装置１４は、この吸引装置１５を操作することができるものである。
【００１９】
この吸引装置１５は、図２に示すように、車両８に搭載して使用できるし、車両８から降ろして使用できるものであり、この吸引車１８を走行させる走行エンジン（走行駆動部）とは別に吸引エンジン（吸引駆動部）４が設けられている。更に、この吸引エンジン４によって駆動される吸引力発生機（例えばルーツブロワや真空ポンプ）１６と、この吸引力発生機１６によって内圧が低下される貯留タンク６と、この貯留タンク６を傾斜及び伏倒させるための傾倒機構部９と、貯留タンク６のテールゲート６ｂを開閉するためのゲート開閉機構部１０とを備えている。
【００２０】
吸引装置の操作装置１４は、図２に示すように、吸引エンジン４を覆う吸引エンジンカバー５の後部側面に設けられている。そして、この操作装置１４のパネル１４ａには、図１の拡大正面図に示すように、スタータスイッチ１４ｂ、クラッチスイッチ１４ｃ、アクセルスイッチ１４ｄが設けられている。
【００２１】
更に、この操作装置１４には、吸引エンジン回転計１４ｇ、連成計１４ｈ、排気温度計１４ｉ、１２Ｖチャージランプ１４ｊ、２４Ｖチャージランプ１４ｋ、水温警報ランプ１４ｍ、オイルランプ１４ｎ、グローランプ１４ｐ、パネル灯１４ｑ、パネル灯電源スイッチ１４ｒ、２４Ｖ用コンセント１４ｓ、及び排気温度警報ブザー（図示せず）が設けられている。
【００２２】
スタータスイッチ１４ｂは、吸引エンジン４の運転及び停止スイッチである。クラッチスイッチ１４ｃは、吸引エンジン４の出力軸と吸引力発生機１６の入力軸とを連結するためのクラッチをＯＮ、ＯＦＦするためのものであり、クラッチスイッチ１４ｃをＯＮ操作すると、吸引エンジン４と吸引力発生機１６とを互いに接続することができ、吸引力発生機１６を運転することができる。そして、クラッチスイッチ１４ｃをＯＦＦ操作すると、吸引力発生機１６を吸引エンジン４から切り離すことができ、吸引力発生機１６を停止させることができる。アクセルスイッチ１４ｄは、吸引エンジン４の回転数を増減調整することができるものである。
【００２３】
吸引エンジン回転計１４ｇは、吸引エンジン４の回転数を表示するものであって、連成計１４ｈは、吸引及び加圧時等における貯留タンク６内の圧力を表示するものであり、排気温度計１４ｉは、吸引力発生機１６から排気される気体（空気）の排気温度を表示するものである。
【００２４】
１２Ｖチャージランプ１４ｊ及び２４Ｖチャージランプ１４ｋは、吸引装置１５に設けられている１２Ｖ用バッテリ及び２４Ｖ用バッテリの充電状態を表すランプ、水温警報ランプ１４ｍは、吸引エンジン用冷却水温度の異常を表すランプであり、オイルランプ１４ｎは、吸引エンジン４の潤滑油の異常を表すランプ、グローランプ１４ｐは、吸引エンジン４の予熱状態を表すランプである。そして、パネル灯１４ｑは、パネル１４ａを照明するためのものであり、パネル灯電源スイッチ１４ｒによってＯＮ、ＯＦＦすることができる。２４Ｖ用コンセント１４ｓは、例えば回転灯や、下水管内を調査するためのテレビカメラ等の電源として使用することができるものである。排気温度警報ブザーは、吸引力発生機１６から排気される気体の排気温度が、予め設定されている所定の温度以上になったときに作動するものである。
【００２５】
更に、図１に示すように、この吸引装置の操作装置１４は、ダンプ操作レバー（傾倒操作部）１４ｅ、及びゲート操作レバー（開閉操作部）１４ｆを備えている。
【００２６】
ダンプ操作レバー１４ｅは、図２に示す傾倒機構部９を操作するためのものである。ダンプ操作レバー１４ｅを傾斜操作位置に操作すると、傾倒用油圧シリンダ装置９ａが図示しない伸長状態となり、貯留タンク６を枢支部９ｂを中心にして時計方向に揺動させて、この貯留タンク６の後部（図示しない後開口部）が斜め下方に向かう傾斜状態に保持することができる。そして、このダンプ操作レバー１４ｅを伏倒操作位置に操作すると、傾倒用油圧シリンダ装置９ａが短縮状態となり、貯留タンク６は、図２に示す伏倒状態となる。
【００２７】
なお、この貯留タンク６は、後端部に設けられている後開口部が、テールゲート６ｂによって開閉自在に設けられている。このテールゲート６ｂの開閉は、ゲート操作レバー１４ｆの操作によって行うことができる。
【００２８】
ゲート操作レバー１４ｆ（開閉操作部）は、図２に示すゲート開閉機構部１０を操作するためのものである。このゲート操作レバー１４ｆを開操作位置に操作すると、開閉用油圧シリンダ装置１０ａが伸長状態となり、テールゲート６ｂは、図示しない開状態となる。そして、ゲート操作レバー１４ｆを閉操作位置に操作すると、開閉用油圧シリンダ装置１０ａが短縮状態となり、テールゲート６ｂは、図２に示す閉状態となる。
【００２９】
また、図１に示す操作装置１４に設けられているスタータスイッチ１４ｂ、水温警報ランプ１４ｍ、オイルランプ１４ｎ、クラッチスイッチ１４ｃ、及びグローランプ１４ｐ等は、駆動用操作表示部に含まれるものである。そして、アクセルスイッチ１４ｄ、吸引エンジン回転計１４ｇ、及び連成計１４ｈ等は、タンク用操作表示部に含まれる。
【００３０】
この操作装置１４が設けられている図２に示す吸引装置１５は、吸引エンジン４を駆動して吸引力発生機１６を作動させて、貯留タンク６内の空気を吸引し、これによって、土砂等を貯留タンク６内に吸引することができる。
【００３１】
次に、図２に示す吸引装置１５を使用して、下水管内の土砂等を吸引する手順を説明する。例えばまず、図１に示す操作装置１４に設けられているクラッチスイッチ１４ｃをＯＦＦにして、吸引力発生機１６を吸引エンジン４から切り離した状態で、スタータスイッチ１４ｂを操作して、吸引エンジン４を始動させる。そして、吸引ホース（図示せず）を貯留タンク６に設けられている吸込み口６ａに接続すると共に、バルブ操作部１７、・・・を操作してこの吸引装置１５に設けられているそれぞれのバルブを吸引位置にする。
【００３２】
次に、クラッチスイッチ１４ｃをＯＮにして吸引エンジン４と吸引力発生機１６とを接続する。そして、吸引エンジン回転計１４ｇと連成計１４ｈの表示を見ながらアクセルスイッチ１４ｄを操作して、吸引エンジン４の回転数を所定の回転数（例えば１，９００ｒｐｍ以下）に設定する。この吸引エンジン４によって吸引力発生機１６が駆動され、この吸引力発生機１６によって貯留タンク６内の空気を吸引することができる。しかる後に、吸引ホースを下水管内に挿入して土砂等を吸引することができ、この吸引された土砂を貯留タンク６内に貯留することができる。
【００３３】
次に、図２に示す吸引装置１５の貯留タンク６内に貯留されている土砂等を排出する手順を説明する。まず、車両８を排出場所まで移動して、そこで、ゲート操作レバー１４ｆを操作してテールゲート６ｂを開けた状態（図示せず）にする。そして、ダンプ操作レバー１４ｅを操作して貯留タンク６を傾斜状態（図示せず）にすることによって、貯留タンク６内の土砂等をこの貯留タンク６の後開口部から排出することができる。
【００３４】
このように、図１に示す吸引装置の操作装置１４によると、スタータスイッチ１４ｂ、水温警報ランプ１４ｍ、オイルランプ１４ｎ、クラッチスイッチ１４ｃ、及びグローランプ１４ｐ等を含む駆動用操作表示部と、アクセルスイッチ１４ｄ、吸引エンジン回転計１４ｇ、及び連成計１４ｈ等を含むタンク用操作表示部とを１箇所にまとめて配置してあるので、例えば貯留タンク６内に土砂等を吸引する吸引作業や、貯留タンク６内に貯留されている土砂等を排出する排出作業をするときに、作業者が駆動用操作表示部、及びタンク用操作表示部を操作するために移動する必要がなく、１つの作業位置で簡単に操作することができる。これによって、作業性の向上を図ることができる。
【００３５】
つまり、例えばアクセルスイッチ１４ｄを操作して、これから行う吸引作業又は排出作業に対して定められた吸引エンジン４の回転数を所定の回転数（例えば１，９００ｒｐｍ以下）に設定するときに、その場で、水温警報ランプ１４ｍやオイルランプ１４ｎを目で見て、吸引エンジン４の冷却水温度や、吸引エンジン４の潤滑油が適正であることを確認できる。そして、クラッチスイッチ１４ｃを目で見て、吸引力発生機１６と吸引エンジン４とが接続していることを確認できるし、グローランプ１４ｐを見て吸引エンジン４の予熱状態を確認できる。また、吸引エンジン回転計１４ｇや連成計１４ｈを目で見て、吸引エンジン４の回転数や、貯留タンク６内の圧力が各作業に応じた範囲となっていることを確認できる。
【００３６】
そして、図１に示すように、操作装置１４には、吸引力発生機１６の排気温度計１４ｉを設けてあるので、吸引作業又は排出作業をするために、アクセルスイッチ１４ｄを操作して吸引エンジン４を所定の回転数に設定したときに、吸引力発生機１６の排気温度計を目で見て、これから行う吸引作業又は排出作業に対してそれぞれ定められた排気温度であるか否かを確認することができる。
【００３７】
また、操作装置１４には、排気温度が所定の温度以上になったときに作動する排気温度警報ブザーを設けてあるので、吸引力発生機１６の排気温度の異常を音によって作業者に注意を促すことができる。
【００３８】
更に、操作装置１４には、ダンプ操作レバー１４ｅ、及びゲート操作レバー１４ｆを設けてあるので、吸引作業や排出作業をするときに、スタータスイッチ１４ｂや、アクセルスイッチ１４ｄを操作するときに、作業者がその位置でこれらダンプ操作レバー１４ｅ、及びゲート操作レバー１４ｆの操作位置を確認することができて安全である。
【００３９】
そして、図２に示すよう、吸引装置１５が搭載されている吸引車１８によると、吸引装置１５を必要に応じて所望の場所に搬送することができ、その場所で吸引作業又は排出作業をすることができる。
【００４０】
また、吸引エンジン４が、走行エンジンとは別に設けられ、吸引装置１５が車両８に対して着脱可能である構成としたので、吸引エンジン４を、吸引装置１５の吸引能力に応じた出力にすることができる。これによって、吸引装置１５の発生する騒音を抑えることができ、全体のコストの低減を図ることができる。更に、吸引装置１５を車両８から降ろして使用することができるので、この吸引装置１５を例えば車両８の進入できない場所に移動させて使用することができる。
【００４１】
ただし、上記実施形態の操作装置１４において、吸引力発生機１６の排気温度が所定の温度以上になったときに作動する排気温度警報ランプを設けてもよい。吸引力発生機１６の排気温度の異常を、ランプの表示によって作業者に注意を促すことができる。
【００４２】
そして、上記実施形態では、図２に示すように、吸引装置１５が車両８に搭載されるものに本発明を適用した例を示したが、これに代えて、吸引装置が地面や建物内に設置されて使用するものに本発明を適用することができる。地面や建物内に設置される吸引装置は、例えばその設置場所で継続して使用することができるものである。
【００４３】
また、上記実施形態では、吸引エンジン４を走行エンジンと別個に設けた構成としたが、これに代えて、吸引エンジン４を使用せずに、走行エンジンによって吸引力発生機１６を駆動する構成としてもよい。
【産業上の利用可能性】
【００４４】
以上のように、本発明に係る吸引装置の操作装置は、例えば貯留タンク内に土砂等を吸引する吸引作業や、貯留タンク内に貯留されている土砂等を排出する排出作業をするために、吸引エンジンの回転数を所定の回転数に設定するときに、水温警報ランプやオイルランプを見るために、作業者が移動する必要がなく、１つの作業位置で簡単に操作できるようにする優れた効果を有し、このような吸引装置の操作装置等に適用するのに適している。
【図面の簡単な説明】
【００４５】
【図１】この発明の一実施形態に係る図２の吸引装置の操作装置を示す拡大図である。
【図２】同実施形態に係る吸引装置の操作装置が設けられている吸引装置を示す側面図である。
【図３】従来の吸引装置を示す側面図である。
【符号の説明】
【００４６】
４  吸引エンジン
５  吸引エンジンカバー
６  貯留タンク
６ａ  吸込み口
６ｂ  テールゲート
８  車両
９  傾倒機構部
９ａ  傾倒用油圧シリンダ装置
９ｂ  枢支部
１０  ゲート開閉機構部
１０ａ  開閉用油圧シリンダ装置
１４  吸引装置の操作装置
１４ａ  パネル
１４ｂ  スタータスイッチ
１４ｃ  クラッチスイッチ
１４ｄ  アクセルスイッチ
１４ｅ  ダンプ操作レバー
１４ｆ  ゲート操作レバー
１４ｇ  吸引エンジン回転計
１４ｈ  連成計
１４ｉ  排気温度計
１４ｊ  １２Ｖチャージランプ
１４ｋ  ２４Ｖチャージランプ
１４ｍ  水温警報ランプ
１４ｎ  オイルランプ
１４ｐ  グローランプ
１４ｑ  パネル灯
１４ｒ  パネル灯電源スイッチ
１４ｓ  ２４Ｖ用コンセント
１５  吸引装置
１６  吸引力発生機
１７  バルブ操作部
１８  吸引車
【図１】
0004601572.tif 000002
【図２】
0004601572.tif 000003
【図３】
0004601572.tif 000004